(57)【要約】【課題】既存のラベルフォーマットを基に、新たなラベルフォーマットを作成する際の利便性を向上させることが可能な情報処理装置及びプログラムを提供する。【解決手段】印字項目の配置位置及び項目サイズを定義するとともに、当該印字項目を配置する領域のラベルサイズを定義したラベルフォーマットを記憶する記憶手段と、前記ラベルフォーマットに対する、前記ラベルサイズの変更指示を受け付ける受付手段と、前記変更指示で受け付けた変更量に基づいて、前記ラベルサイズを変更する第１変更手段と、前記ラベルサイズの変更に連動して、前記印字項目の配置位置及び項目サイズを変更する第２変更手段と、を備える。【選択図】図５
2014153881.tif 000002
【特許請求の範囲】
【請求項１】
印字項目の配置位置及び項目サイズを定義するとともに、当該印字項目を配置する領域のラベルサイズを定義したラベルフォーマットを記憶する記憶手段と、
前記ラベルフォーマットに対する、前記ラベルサイズの変更指示を受け付ける受付手段と、
前記変更指示で受け付けた変更量に基づいて、前記ラベルサイズを変更する第１変更手段と、
前記ラベルサイズの変更に連動して、前記印字項目の配置位置及び項目サイズを変更する第２変更手段と、
を備える情報処理装置。
【請求項２】
前記ラベルサイズの変更前後の変更比率を算出する算出手段を更に備え、
前記第２変更手段は、前記算出手段が算出した前記変更比率に基づいて、前記印字項目の配置位置及び項目サイズを変更する請求項１に記載の情報処理装置。
【請求項３】
前記第２変更手段は、前記印字項目に入力される入力データの特性に応じて、前記配置位置又は前記項目サイズの変更方法を切り替える請求項１又は２に記載の情報処理装置。
【請求項４】
前記第２変更手段は、前記入力データがシンボルコードの場合には、当該シンボルコードの規格で定められた大きさの範囲内で変更する請求項３に記載の情報処理装置。
【請求項５】
前記第１変更手段及び前記第２変更手段で変更されたラベルフォーマットを、前記記憶手段に新規保存又は変更前のラベルフォーマットに上書き保存する保存手段を更に備える請求項１〜４の何れか一項に記載の情報処理装置。
【請求項６】
印字項目の配置位置及び項目サイズを定義するとともに、当該印字項目を配置する領域のラベルサイズを定義したラベルフォーマットを記憶する記憶手段を備えるコンピュータを、
前記ラベルフォーマットに対する、前記ラベルサイズの変更指示を受け付ける受付手段と、
前記変更指示で受け付けた変更量に基づいて、前記ラベルサイズを変更する第１変更手段と、
前記ラベルサイズの変更に連動して、前記印字項目の配置位置及び項目サイズを変更する第２変更手段と、
して機能させるためのプログラム。
【発明の詳細な説明】
【技術分野】
【０００１】
本発明の実施形態は、情報処理装置及びプログラムに関する。
【背景技術】
【０００２】
従来、スーパーマーケット等の店舗では、商品に関する情報を印字した商品ラベルを発行し、該当する商品に貼付することが行われている。商品ラベルは、雛型となるラベルフォーマットに基づいて作成される。ラベルフォーマットは、商品ラベル自体のサイズや、品名や価格等の商品に関わる印字項目、各印字項目のサイズや配置位置等を設定情報として有する。
【０００３】
ところで、商品ラベルは商品の種類や販売形態によって様々であるため、その大きさや印字項目も多様となる。また、ラベルフォーマット全てを一から作ることは労力を要するため、新たなラベルフォーマットを作成する場合には、既存のラベルフォーマットを基に作成することが一般的に行われている。しかしながら、ラベルフォーマットを構成する各要素は独立して設定されているため、既存のラベルフォーマットを基にラベルフォーマットのサイズを変更しても、印字項目のサイズや配置位置までは変わらない。そのため、利用者は、変更したラベルサイズに合わせて、印字項目のサイズや配置位置を手動で変更している。
【発明の概要】
【発明が解決しようとする課題】
【０００４】
本発明の実施形態が解決しようとする課題は、既存のラベルフォーマットを基に、新たなラベルフォーマットを作成する際の利便性を向上させることが可能な情報処理装置及びプログラムを提供することである。
【課題を解決するための手段】
【０００５】
実施の形態の情報処理装置は、記憶手段と、受付手段と、第１変更手段と、第２変更手段とを備える。記憶手段は、印字項目の配置位置及び項目サイズを定義するとともに、当該印字項目を配置する領域のラベルサイズを定義したラベルフォーマットを記憶する。受付手段は、前記ラベルフォーマットに対する、前記ラベルサイズの変更指示を受け付ける。第１変更手段は、前記変更指示で受け付けた変更量に基づいて、前記ラベルサイズを変更する。第２変更手段は、前記ラベルサイズの変更に連動して、前記印字項目の配置位置及び項目サイズを変更する。
【図面の簡単な説明】
【０００６】
【図１】図１は、実施形態に係る情報処理装置のハードウェア構成を示すブロック図である。
【図２】図２は、図１に示した情報処理装置の機能構成を示すブロック図である。
【図３】図３は、実施形態に係るラベルフォーマットの一例を示す図である。
【図４】図４は、図３に示したラベルフォーマットのラベルサイズ変更後の状態例を示す図である。
【図５】図５は、実施形態に係る情報処理装置が実行するサイズ変更処理の手順を示すフローチャートである。
【発明を実施するための形態】
【０００７】
以下では、本実施形態に係る情報処理装置及びプログラムについて、図面を参照して説明する。
【０００８】
図１は、情報処理装置１０のハードウェア構成を示すブロック図である。同図に示すように、情報処理装置１０は、各種の情報処理を実行するマイクロコンピュータ１１を備える。マイクロコンピュータ１１は、各種演算処理を実行し各部を制御するＣＰＵ（Central  Processing  Unit）１２と、ＲＯＭ（Read  Only  Memory）１３と、ＲＡＭ（Random  Access  Memory）１４とを備える。
【０００９】
また、マイクロコンピュータ１１には、表示部１５、操作入力部１６、通信部１７及び記憶部１８が各種の入出力回路（何れも図示せず）を介して接続される。
【００１０】
表示部１５は、ＬＣＤ（Liquid  Crystal  Display）等の表示デバイスにより構成され、ＣＰＵ１２からの表示信号に基づいて、各種情報を表示する。操作入力部１６は、キーボードやポインティングデバイスを有し、利用者から操作入力された内容を指示信号としてＣＰＵ１２に出力する。なお、表示部１５は、操作入力部１６と一体的にタッチパネルを構成する態様としてもよい。
【００１１】
通信部１７は、図示しないネットワークを介して外部装置との間で通信を行う通信インタフェースである。通信部１７は、外部装置から受信した各種の情報をＣＰＵ１２に出力し、また、ＣＰＵ１２から出力される各種の情報を外部装置へ送信する。
【００１２】
記憶部１８は、ＨＤＤ（Hard  Disk  Drive）やＳＳＤ（Solid  State  Drive）等の記憶媒体を有し、各種プログラムや各種ファイルを記憶する。また、記憶部１８は、ラベルフォーマットの生成に係る画像データ等のコンテンツ、後述するラベルフォーマット生成部２１で生成されたラベルフォーマットを記憶する。
【００１３】
次に、ＣＰＵ１２がＲＯＭ１３や記憶部１８に記憶されたプログラムを実行することで実現される機能部の構成について、図２を参照して説明する。
【００１４】
図２は、情報処理装置１０の機能構成を示すブロック図である。図２に示すように、情報処理装置１０は、ＣＰＵ１２と各種プログラムとが協働することで、ラベルフォーマット生成部２１及びラベルサイズ変更部２２を機能部として有する。
【００１５】
ラベルフォーマット生成部２１は、商品ラベルのラベルフォーマットを生成する機能部である。具体的に、ラベルフォーマット生成部２１は、操作入力部１６を介して入力されるユーザの操作に応じて、各種コンテンツや文字列を配置したラベルフォーマットを生成する。そして、ラベルフォーマット生成部２１は、生成したラベルフォーマットを、記憶部１８等に記憶する。
【００１６】
ここで、図３は、ラベルフォーマットの一例を示す図である。ラベルフォーマットは、印字項目Ａ１〜Ａ７の配置位置及びサイズ（以下、項目サイズという）を定義するとともに、当該印字項目Ａ１〜Ａ７を配置する領域のサイズ（以下、ラベルサイズという）を定義した設定情報である。ラベルフォーマットは、例えば、商品ラベルの雛形として利用される。商品ラベルは、ラベルフォーマットに定義された設定情報に従い、図示しない印字装置にて印字出力される。
【００１７】
ラベルサイズは、商品ラベル自体のサイズに対応するものである。ラベルサイズは、例えば、縦方向及び横方向の大きさ（長さ）や、四隅の座標値等で表すことができる。図３では、縦方向がＨ１、横方向がＷ１のラベルサイズを有したラベルフォーマットの例を示す。
【００１８】
印字項目Ａ１〜Ａ７は、印字の対象となる品名や価格等の商品に関わる各種の入力データを入力するための領域である。入力データとしては、例えば、ビットマップフォントやアウトラインフォント等の文字列、ログマーク等の画像データ、矩形や枠線等の図形データ、バーコードや二次元コード等のコードシンボルが挙げられる。
【００１９】
項目サイズは、印字項目自体の大きさを表し、例えば、縦方向及び横方向の大きさ（長さ）や、四隅の座標値等で表すことができる。図３では、縦方向がｈ１、横方向がｗ１の項目サイズを有した印字項目Ａ１の例を示す。
【００２０】
印字項目の配置位置は、例えば、ラベルサイズで表される領域と当該領域内に存在する印字項目との相対的な位置関係、当該領域内における印字項目四隅の座標、ベクトル値等で表すことができる。図３の例では、縦方向がＨ１、横方向がＷ１のラベルサイズで表される領域の左上隅の点Ｂ１を基準点としている。そして、印字項目Ａ１の配置位置を、基準点Ｂ１から印字項目Ａ１の左上隅の点Ｂ２までの離間距離（縦方向にｙ１、横方向にｘ１）で表している。
【００２１】
図２に戻り、ラベルサイズ変更部２２は、ラベルフォーマット生成部２１で生成されたラベルフォーマットのサイズ変更を行う機能部である。具体的に、ラベルサイズ変更部２２は、操作入力部１６を介してユーザからラベルサイズの変更を指示する操作入力を受け付けると、この指示内容に基づいてラベルサイズを変更するとともに、各印字項目の項目サイズ、配置位置を変更する。
【００２２】
より詳細には、ラベルサイズ変更部２２は、ラベルサイズを変更する指示を受け付けると、その指示された変更量に応じて、ラベルサイズを拡大又は縮小する。また、ラベルサイズ変更部２２は、ラベルサイズの変更に連動して各印字項目の配置位置をその変更量に応じた位置に変更する。さらに、ラベルサイズ変更部２２は、ラベルサイズの変更に連動して、当該印字項目の項目サイズを変更する。以下、ラベルサイズ変更部２２の動作例について説明する。
【００２３】
図３に示したラベルフォーマットにおいて、そのラベルサイズ（縦Ｈ１、横Ｗ１）を、縦Ｈ２、横Ｗ２に変更する指示が操作入力部１６を介して入力されたとする。ラベルサイズ変更部２２は、ラベルサイズの変更指示を受け付けると、この指示内容に従いラベルサイズを縦Ｈ２、横Ｗ２に拡大又は縮小する。なお、ラベルサイズの変更は、点Ｂ１を基準に行うものとするが、これに限らず、他の位置を基準としてもよい。
【００２４】
次に、ラベルサイズ変更部２２は、ラベルフォーマット内に印字項目が存在するか否かを判定する。印字項目が存在する場合には、ラベルサイズ変更部２２は、変更指示で受け付けたラベルサイズを、現在のラベルサイズで除することで、縦方向及び横方向の変更量（変更比率）を算出する。例えば、現在のラベルサイズが縦Ｈ１、横Ｗ１の場合に、縦Ｈ２、横Ｗ２に変更する指示を受け付けると、ラベルサイズ変更部２２は、縦方向の変更量（Ｈ２／Ｈ１）と、横方向の変更量（Ｗ２／Ｗ１）とをそれぞれ算出する。次いで、ラベルサイズ変更部２２は、算出した縦方向及び横方向の変更量に基づいて、各印字項目の配置位置を変更する。
【００２５】
ここで、図３に示した、ラベルフォーマットの縦方向の位置がｙ１、横方向の位置がｘ１の印字項目Ａ１を例に、配置位置の変更方法を説明する。ラベルサイズ変更部２２は、縦方向の変更量（Ｈ２／Ｈ１）及び横方向の変更量（Ｗ２／Ｗ１）を算出すると、これらの変更量に基づき、各印字項目の配置位置を変更する。具体的には、ラベルサイズ変更部２２は、サイズ変更後のラベルフォーマット内において、縦方向がｙ１×（Ｈ２／Ｈ１）、横方向がｘ１×（Ｗ２／Ｗ１）の位置に印字項目Ａ１を配置する。また、ラベルサイズ変更部２２は、他の印字項目についても同様に配置位置を変更する。
【００２６】
次に、ラベルサイズ変更部２２は、算出した縦方向及び横方向の変更量に基づいて、各印字項目の項目サイズを変更する。
【００２７】
ここで、図３に示した、ラベルフォーマットの縦方向の項目サイズがｈ１、横方向の項目サイズがｗ１の印字項目Ａ１を例に、項目サイズの変更方法を説明する。この場合、ラベルサイズ変更部２２は、サイズ変更後のラベルフォーマット内に配置した印字項目Ａ１について、縦方向の項目サイズをｈ１×（Ｈ２／Ｈ１）に変更し、横方向の項目サイズをｗ１×（Ｗ２／Ｗ１）に変更する。また、ラベルサイズ変更部２２は、他の印字項目についても同様に項目サイズを変更する。
【００２８】
図４は、図３に示したラベルフォーマットのラベルサイズ変更後の状態例を示す図である。図４に示すように、縦方向の変更量（Ｈ２／Ｈ１）及び横方向の変更量（Ｗ２／Ｗ１）に基づいて、各印字項目Ａ１〜Ａ７の配置位置及び項目サイズを変更する。なお、印字項目の配置位置及び項目サイズの変更は、各印字項目での点Ｂ２を基準に行うものとするが、これに限らず、ラベルフォーマットの基準位置に対応する他の位置を基準としてもよい。
【００２９】
ラベルサイズ変更部２２は、ラベルフォーマットのサイズを変更すると、当該ラベルフォーマットを記憶部１８等に保存する。なお、サイズ変更後のラベルフォーマットは、サイズ変更前のラベルフォーマットとは異なるデータとして保存してもよいし、変更前のラベルフォーマットに上書き保存してもよい。また、サイズ変更後のラベルフォーマットに対して、ユーザが手動で各印字項目の項目サイズや配置位置等を変更してもよい。
【００３０】
このように、ラベルサイズ変更部２２は、ラベルサイズの変更が指示されると、この指示内容に応じてラベルサイズを変更するとともに、変更前後の変更量（変更比率）に基づいて、各印字項目の配置位置及び項目サイズを変更する。これにより、ラベルフォーマットを構成する各要素のサイズ変更を一括して行うことができるため、既存のラベルフォーマットを基に新たなラベルフォーマットを作成する際の利便性を向上させることができる。
【００３１】
なお、上記例では、各印字項目の項目サイズを同様の方法で変更する形態としたが、これに限らず、印字項目に入力される入力データの特性に応じて、項目サイズの変更方法を切り替える形態としてもよい。
【００３２】
例えば、文字列や画像データ、図形データが入力される印字項目については、上記の方法で項目サイズを変更してもよいし、縦方向又は横方向の一方の変更比率を用いて項目サイズを変更してもよい。また、コードシンボルが入力される印字項目については、そのコードシンボルの規格で定められた大きさの範囲内で変更する形態としてもよい。なお、印字時のサイズは、項目サイズの大きさに従うものとする。
【００３３】
また、印字項目の配置位置についても、印字項目に入力される入力データの特性に応じて、変更方法を切り替える形態としてもよい。例えば、コードシンボルが入力される印字項目については、その配置位置を固定としてもよいし、縦方向又は横方向の一方の変更比率を用いて配置位置を変更する形態としてもよい。
【００３４】
以下、図５を参照して、情報処理装置１０の動作について説明する。ここで、図５は、情報処理装置１０が実行するサイズ変更処理の手順を示すフローチャートである。なお、本処理の前提として、印字項目の配置位置及び項目サイズを定義するとともに、印字項目を配置する領域のラベルサイズを定義したラベルフォーマットは記憶部１８（記憶手段）に記憶されているものとする。
【００３５】
まず、ラベルサイズ変更部２２は、操作入力部１６を介して、処理の対象となるラベルフォーマットが指定されるまで待機する（ステップＳ１１；Ｎｏ）。処理の対象となるラベルフォーマットが指定されると（ステップＳ１１；Ｙｅｓ）、ラベルサイズ変更部２２は、この指定されたラベルフォーマットを記憶部１８から読み出し、表示部１５に表示する（ステップＳ１２）。
【００３６】
続いて、ラベルサイズ変更部２２は、表示部１５に表示したラベルフォーマットに対し、操作入力部１６を介して、ラベルサイズの変更が指示されるまで待機する（ステップＳ１３；Ｎｏ）。ラベルサイズの変更指示を受け付けると（ステップＳ１３；Ｙｅｓ）（受付手段）、ラベルサイズ変更部２２は、指示された変更量に従い、ラベルフォーマットを拡大又は縮小することでラベルサイズを変更する（ステップＳ１４）（第１変更手段）。
【００３７】
続いて、ラベルサイズ変更部２２は、ラベルフォーマット内に印字項目が存在するか否かを判定する（ステップＳ１５）。ここで、ラベルサイズ変更部２２が、印字項目が存在しないと判定した場合には（ステップＳ１５；Ｎｏ）、本処理を終了する。また、ラベルサイズ変更部２２が、印字項目が存在すると判定した場合（ステップＳ１５；Ｙｅｓ）、変更前後のラベルサイズを比較し、縦方向及び横方向の変更比率を算出する（ステップＳ１６）（算出手段）。
【００３８】
次いで、ラベルサイズ変更部２２は、ステップＳ１６で算出した変更比率に基づき、各印字項目の配置位置を変更する（ステップＳ１７）（第２変更手段）。そして、ラベルサイズ変更部２２は、ステップＳ１６で算出した変更比率に基づき、各印字項目の項目サイズを変更する（ステップＳ１８）（第２変更手段）。なお、入力データの特性に応じて、印字項目の配置位置や項目サイズの変更方法を切り替える場合には、ステップＳ１７、Ｓ１８で切り替えた変更方法を用いるものとする。
【００３９】
続くステップＳ１９において、ラベルサイズ変更部２２は、操作入力部１６を介して、ラベルサイズの変更を終了する旨の指示が入力されたか否かを判定する（ステップＳ１９）。ラベルサイズ変更部２２が、終了指示が入力されないと判定した場合には（ステップＳ１９；Ｎｏ）、ステップＳ１３に再び戻る。また、ラベルサイズ変更部２２が、終了指示が入力されたと判定した場合には（ステップＳ１９；Ｙｅｓ）、変更したラベルフォーマットを記憶部１８等に保存し（ステップＳ２０）、本処理を終了する。
【００４０】
以上のように、本実施形態の情報処理装置１０は、ラベルサイズの変更指示に応じてラベルサイズを変更する。また、情報処理装置１０は、ラベルサイズの変更前後の変更量（変更比率）に基づいて、各印字項目の配置位置及び項目サイズを変更する。これにより、ユーザは、ラベルサイズ、各印字項目の配置位置及び項目サイズの変更を一括して行うことができる。したがって、既存のラベルフォーマットを基に新たなラベルフォーマットを作成する際の利便性を向上させることができる。
【００４１】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００４２】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００４３】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【００４４】
また、上記実施形態のプログラムを、通信機能を有する携帯電話、スマートフォン、ＰＤＡ（Personal  Digital  Assistant）等の携帯情報端末に組み込んで、その機能を実現させる形態としてもよい。
【符号の説明】
【００４５】
１０  情報処理装置
１１  マイクロコンピュータ
１２  ＣＰＵ
１３  ＲＯＭ
１４  ＲＡＭ
１５  表示部
１６  操作入力部
１７  通信部
１８  記憶部
２１  ラベルフォーマット生成部
２２  ラベルサイズ変更部
【先行技術文献】
【特許文献】
【００４６】
【特許文献１】特開２００６−２４４２０６号公報
【図１】
2014153881.tif 000003
【図２】
2014153881.tif 000004
【図３】
2014153881.tif 000005
【図４】
2014153881.tif 000006
【図５】
2014153881.tif 000007